【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
音響波ビームを送信し、かつ、検査対象物によって反射された音響波エコーを受信して、受信した音響波エコーに応じたアナログ素子信号を出力する、複数の素子が配列された探触子と、
前記探触子に、前記複数の素子のうちの２以上の素子を送信素子として用い、所定の送信焦点を形成するように前記音響波ビームを送信させることを、複数回、行わせる送信部と、
個々の前記音響波ビームの送信それぞれに対応して、前記複数の素子のうちの２以上の素子を受信素子として音響波エコーを受信して、前記受信素子が出力したアナログ素子信号を受け、所定の処理を施す受信部と、
前記受信部が処理したアナログ素子信号をＡ／Ｄ変換して、デジタル素子信号である第１の素子データとするＡ／Ｄ変換部と、
前記Ａ／Ｄ変換部で出力された複数の前記第１の素子データ、あるいは、前記第１の素子データに整相加算処理を行って生成した複数の第１の受信データから、２以上のデータを選択して重ね合わせ処理を行い処理済データを生成するデータ処理部と、
前記第１の素子データおよび前記データ処理部によって生成された前記処理済データの少なくとも一方に基づいてＢモード画像を生成するＢモード画像生成部と、
前記第１の素子データに含まれる血流情報に基づいて血流画像を生成する血流画像生成部と、
前記血流画像生成部が血流画像を生成する血流画像領域を設定する領域設定部と、
前記領域設定部が設定した前記血流画像領域の情報に基づいて、前記データ処理部が処理を行う処理領域を設定する処理領域設定部と、
前記領域設定部が設定した前記血流画像領域の情報に基づいて、前記Ｂモード画像と前記血流画像との合成画像を生成する表示画像生成部と、を有し、
前記領域設定部は、操作部からの入力に基づいて、前記血流画像領域を設定するものであり、
前記処理領域設定部は、前記操作部による前記血流画像領域の設定が行われている間は、前記処理領域を無しに設定する音響波処理装置。
【請求項２】
前記血流画像生成部は、ドプラ効果に基づいて血流情報を算出する請求項１に記載の音響波処理装置。
【請求項３】
前記血流画像領域の情報は、領域のサイズ、位置、形状の少なくとも１つである請求項１または２に記載の音響波処理装置。
【請求項４】
前記処理領域設定部は、前記血流画像領域を通るラインを含む領域を前記処理領域とする請求項１〜３のいずれか１項に記載の音響波処理装置。
【請求項５】
前記データ処理部は、前記複数の第１の素子データから、２以上の第１の素子データを選択して、選択した前記２以上の第１の素子データを、前記素子が超音波エコーを受信した受信時間および前記素子の位置に応じて重ね合わせて、第２の素子データを生成し、
前記Ｂモード画像生成部は、前記第２の素子データに基づいて前記Ｂモード画像を生成する請求項１〜４のいずれか１項に記載の音響波処理装置。
【請求項６】
各前記第１の素子データに対して、少なくとも２つのラインをそれぞれ中心にして整相加算を行い、前記第１の素子データごとに、少なくとも２つの第１の受信データを生成する整相加算部を有し、
前記データ処理部は、前記複数の第１の受信データから２以上の前記第１の受信データを選択して、選択した前記２以上の第１の受信データを、前記素子が超音波エコーを受信した受信時間に応じて重ね合わせて、第２の受信データを生成し、
前記Ｂモード画像生成部は、前記第２の受信データに基づいて前記Ｂモード画像を生成する請求項１〜４のいずれか１項に記載の音響波処理装置。
【請求項７】
前記データ処理部は、異なる前記第１の素子データから生成され、かつ、同一のラインで整相加算処理されて生成された前記２以上の第１の受信データを重ね合わせる請求項６に記載の音響波処理装置。
【請求項８】
前記送信部は、中心となる素子の変更、および、超音波ビームの送信方向の変更の少なくとも一方を行って、前記探触子に前記複数回の超音波ビームの送信を行わせる請求項１〜７のいずれか１項に記載の音響波処理装置。
【請求項９】
音響波ビームを送信し、かつ、検査対象物によって反射された音響波エコーを受信して、受信した音響波エコーに応じたアナログ素子信号を出力する、複数の素子が配列された探触子を用いて前記検査対象物を検査する音響波処理装置の信号処理方法であって、
前記探触子の前記複数の素子のうちの２以上の素子を送信素子として用い、所定の送信焦点を形成するように前記音響波ビームを送信させることを、複数回、行う送信ステップと、
個々の前記音響波ビームの送信それぞれに対応して、前記複数の素子のうちの２以上の素子を受信素子として音響波エコーを受信して、アナログ素子信号を出力する受信ステップと、
前記受信ステップで処理したアナログ素子信号をＡ／Ｄ変換して、デジタル素子信号である第１の素子データを生成するＡ／Ｄ変換ステップと、
前記Ａ／Ｄ変換ステップで出力された複数の前記第１の素子データ、あるいは、前記第１の素子データに整相加算処理を行って生成した複数の第１の受信データから、２以上のデータを選択して重ね合わせ処理を行い処理済データを生成するデータ処理ステップと、
前記第１の素子データおよび前記データ処理ステップによって生成された前記処理済データの少なくとも一方に基づいてＢモード画像を生成するＢモード画像生成ステップと、
前記第１の素子データに含まれる血流情報に基づいて血流画像を生成する血流画像生成ステップと、
前記血流画像生成ステップが血流画像を生成する血流画像領域を設定する領域設定ステップと、
前記領域設定ステップが設定した前記血流画像領域の情報に基づいて、前記データ処理ステップが処理を行う処理領域を設定する処理領域設定ステップと、
前記領域設定ステップが設定した前記血流画像領域の情報に基づいて、前記Ｂモード画像と前記血流画像との合成画像を生成する表示画像生成ステップと、を有し、
前記領域設定ステップは、操作部からの入力に基づいて、前記血流画像領域を設定するものであり、
前記処理領域設定ステップは、前記操作部による前記血流画像領域の設定が行われている間は、前記処理領域を無しに設定する音響波処理装置の信号処理方法。
【請求項１０】
音響波ビームを送信し、かつ、検査対象物によって反射された音響波エコーを受信して、受信した音響波エコーに応じたアナログ素子信号を出力する、複数の素子が配列された探触子を用いて前記検査対象物を検査する音響波処理装置の信号処理方法をコンピュータに実行させるプログラムであって、
前記探触子の前記複数の素子のうちの２以上の素子を送信素子として用い、所定の送信焦点を形成するように前記音響波ビームを送信させることを、複数回、行う送信ステップと、
個々の前記音響波ビームの送信それぞれに対応して、前記複数の素子のうちの２以上の素子を受信素子として音響波エコーを受信して、アナログ素子信号を出力する受信ステップと、
前記受信ステップで処理したアナログ素子信号をＡ／Ｄ変換して、デジタル素子信号である第１の素子データを生成するＡ／Ｄ変換ステップと、
前記Ａ／Ｄ変換ステップで出力された複数の前記第１の素子データ、あるいは、前記第１の素子データに整相加算処理を行って生成した複数の第１の受信データから、２以上のデータを選択して重ね合わせ処理を行い処理済データを生成するデータ処理ステップと、
前記第１の素子データおよび前記データ処理ステップによって生成された前記処理済データの少なくとも一方に基づいてＢモード画像を生成するＢモード画像生成ステップと、
前記第１の素子データに含まれる血流情報に基づいて血流画像を生成する血流画像生成ステップと、
前記血流画像生成ステップが血流画像を生成する血流画像領域を設定するものであって、操作部からの入力に基づいて、前記血流画像領域を設定する領域設定ステップと、
前記領域設定ステップが設定した前記血流画像領域の情報に基づいて、前記データ処理ステップが処理を行う処理領域を設定するものであって、前記操作部による前記血流画像領域の設定が行われている間は、前記処理領域を無しに設定する処理領域設定ステップと、
前記領域設定ステップが設定した前記血流画像領域の情報に基づいて、前記Ｂモード画像と前記血流画像との合成画像を生成する表示画像生成ステップと、をコンピュータに実行させる音響波処理装置の信号処理プログラム。